(57)【要約】【課題】リモコン装置の所在を利用者に認識させることができるとともに、従来に比べて容易に所望のリモコン装置の呼出操作を完了することができる電子機器、電子機器システム、及び電子機器の制御方法を提供する。【解決手段】映像表示装置２は、複数のリモコン装置の識別子及び特性情報を含む呼出設定情報２６０を記憶する記憶部２６と、呼出信号を送信する送信部２８と、複数のリモコン装置の内、所望のリモコン装置の呼出要求を受け付けたとき、呼出要求を受けたリモコン装置に対応する識別子を記憶部２６の呼出設定情報２６０から取得して、取得した識別子に基づいた呼出信号を送信部２８を介して送信する制御部２５とを有する。【選択図】図２
2011072017.tif 000002
【特許請求の範囲】
【請求項１】
複数のリモコン装置の識別子と、前記複数のリモコン装置の特性を示す特性情報を前記識別子に対応づけて記憶する記憶部と、
外部に信号を送信する送信部と、
前記複数のリモコン装置の内、所望のリモコン装置の呼出要求を受け付けたとき、この呼出要求を受けたリモコン装置に対応する前記識別子を前記記憶部から取得し、この取得した前記識別子に基づいた呼出信号を前記送信部を介して送信する制御部とを有することを特徴とする電子機器。
【請求項２】
複数のリモコン装置の識別子を記憶する記憶部と、
外部に信号を送信する送信部と、
前記複数のリモコン装置の内、所望のリモコン装置の呼出要求を受け付けたとき、この呼出要求を受けたリモコン装置に対応する識別子を前記記憶部から取得し、前記取得した識別子に基づいた呼出信号を前記送信部を介して送信する制御部とを有し、
前記記憶部は、前記複数のリモコン装置からそれぞれ取得した前記複数のリモコン装置の特性を示す特性情報を前記識別子のそれぞれに対応づけて記憶し、
前記制御部は、リモコン装置の特性設定要求に応じて、前記特性設定要求されたリモコン装置を呼び出す際の呼出設定情報を、前記特性情報に基づいて設定して前記特性設定要求されたリモコン装置の識別子に対応づけて前記記憶部に記憶することを特徴とする電子機器。
【請求項３】
前記制御部は、前記呼出信号を送信するとき、前記呼出要求を受けたリモコン装置に対応する前記呼出設定情報を前記取得した識別子に対応づけて送信することを特徴とする請求項２に記載の電子機器。
【請求項４】
複数のリモコン装置の識別子を記憶する記憶部と、外部に信号を送信する送信部と、前記複数のリモコン装置の内、所望のリモコン装置の呼出要求を受け付けたとき、この呼出要求を受けたリモコン装置に対応する識別子を前記記憶部から取得し、前記取得した識別子に基づいた呼出信号を前記送信部を介して送信する制御部とを備えた本体と、
前記本体を遠隔操作するリモコン装置であって、自己を特定する識別子と特性を示す特性情報とを記憶する記憶部と、音声を出力するスピーカと、前記本体から送信される前記呼出信号を受信する受信部と、前記受信部が受信した前記呼出信号が前記記憶部が記憶する前記自己を特定する識別子に対応するとき、前記記憶部に記憶された前記特性情報に基づいて呼出音を再生し、前記スピーカから前記呼出音を出力させる制御部とを備えたリモコン装置とを有することを特徴とする電子機器システム。
【請求項５】
リモコン装置の識別子を記憶する記憶部と、
前記リモコン装置の呼出要求を受け付けたとき、前記記憶部に記憶された識別子に基づいて前記リモコン装置を呼び出すよう制御する制御部とを備え、
前記記憶部は、前記リモコン装置から受信する特性情報を記憶し、
前記制御部は、前記リモコン装置を呼び出す際の呼出設定を、前記特性情報に基づいて設定することを特徴とする電子機器。
【請求項６】
複数のリモコン装置の識別子を電子機器中に記憶する第１の記憶ステップと、
前記複数のリモコン装置の識別子のそれぞれに対応づけられる前記複数のリモコン装置の特性を示す特性情報を前記複数のリモコン装置から受信して前記電子機器中に記憶する第２の記憶ステップと、
前記複数のリモコン装置の内、所望のリモコン装置の呼出要求を前記電子機器において受け付ける受付ステップと、
前記受付ステップが実行されたとき、この呼出要求を受けたリモコン装置の前記識別子とこの識別子に対応づけられた前記特性情報を前記電子機器から外部へ送信する送信ステップと、
を実行することを特徴とする電子機器の制御方法。
【発明の詳細な説明】
【技術分野】
【０００１】
本発明は、電子機器、電子機器システム、及び電子機器の制御方法に関する。
【背景技術】
【０００２】
従来の電子機器として、リモコン装置が紛失又は置き忘れ等されたときに、呼出要求に応じてリモコン装置に警報を発しさせて所在を利用者に認識させるものが知られている（例えば、特許文献１）。
【０００３】
この特許文献１に記載の電子機器は、テレビやＤＶＤ（Ｄｉｇｉｔａｌ  Ｖｅｒｓａｔｉｌｅ  Ｄｉｓｃ）プレーヤー等の電子機器であって、電子機器を遠隔操作するリモコン装置が付属する。付属するリモコン装置は、リモコン装置本体を識別するためのＩＤを記憶する記憶部と、電子機器から電波信号又は光信号等の信号を受信する受信部と、所在を利用者に認識させるためブザー音等の警報を発するスピーカと、受信部において受信した信号の内容が呼び出しを要求するものであって、かつ記憶部に記憶されたＩＤを指定するものであったとき、スピーカから警報を発するよう動作させる制御部とを有するため、利用者が電子機器においてリモコン装置を呼出要求するための操作を行うことで、利用者が所望するリモコン装置の所在を利用者に認識させることができる。
【先行技術文献】
【特許文献】
【０００４】
【特許文献１】特開２００２−３４５０５４号公報
【発明の概要】
【発明が解決しようとする課題】
【０００５】
しかし、上記した従来の電子機器によると、付属するリモコン装置について呼出を実行することができるが、他のリモコン装置を指定して呼び出すことができないため、他のリモコン装置を呼び出すには、そのリモコン装置に対応した電子機器において呼出操作を実行する必要があり、リモコン装置の所在確認の手順が煩雑になるという問題がある。
【０００６】
従って、本発明の目的は、リモコン装置の所在を利用者に認識させることができるとともに、従来に比べて容易に特定のリモコン装置の呼出操作を完了することができる電子機器、電子機器システム、及び電子機器の制御方法を提供することにある。
【課題を解決するための手段】
【０００７】
［１］本発明は、複数のリモコン装置の識別子と、前記複数のリモコン装置の特性を示す特性情報を前記識別子に対応づけて記憶する記憶部と、外部に信号を送信する送信部と、前記複数のリモコン装置の内、所望のリモコン装置の呼出要求を受け付けたとき、この呼出要求を受けたリモコン装置に対応する前記識別子を前記記憶部から取得し、この取得した前記識別子に基づいた呼出信号を前記送信部を介して送信する制御部とを有することを特徴とする電子機器を提供する。
【０００８】
上記した構成によれば、予め呼出対象を指定する識別子及び特性情報を記憶し、記憶された識別子に該当するリモコン装置を記憶された特性情報に基づいて呼び出すため、容易に特定のリモコン装置の所在を利用者に認識させることができる。
【０００９】
［２］また、本発明は、複数のリモコン装置の識別子を記憶する記憶部と、外部に信号を送信する送信部と、前記複数のリモコン装置の内、所望のリモコン装置の呼出要求を受け付けたとき、この呼出要求を受けたリモコン装置に対応する識別子を前記記憶部から取得し、前記取得した識別子に基づいた呼出信号を前記送信部を介して送信する制御部とを有し、前記記憶部は、前記複数のリモコン装置からそれぞれ取得した前記複数のリモコン装置の特性を示す特性情報を前記識別子のそれぞれに対応づけて記憶し、前記制御部は、リモコン装置の特性設定要求に応じて、前記特性設定要求されたリモコン装置を呼び出す際の呼出設定情報を、前記特性情報に基づいて設定して前記特性設定要求されたリモコン装置の識別子に対応づけて前記記憶部に記憶することを特徴とする電子機器を提供する。
【００１０】
上記した構成によれば、［１］と同様の効果を有するリモコン装置を含む電子機器システムを実現できる。
【００１１】
［３］また、本発明は、前記制御部は、前記呼出信号を送信するとき、前記呼出要求を受けたリモコン装置に対応する前記呼出設定情報を前記取得した識別子に対応づけて送信することを特徴とする上記［２］に記載の電子機器を提供し、また、リモコン装置の識別子を記憶する記憶部と、前記リモコン装置の呼出要求を受け付けたとき、前記記憶部に記憶された識別子に基づいて前記リモコン装置を呼び出すよう制御する制御部とを備え、前記記憶部は、前記リモコン装置から受信する特性情報を記憶し、前記制御部は、前記リモコン装置を呼び出す際の呼出設定を、前記特性情報に基づいて設定することを特徴とする電子機器を提供し、また、複数のリモコン装置の識別子を電子機器中に記憶する第１の記憶ステップと、前記複数のリモコン装置の識別子のそれぞれに対応づけられる前記複数のリモコン装置の特性を示す特性情報を前記複数のリモコン装置から受信して前記電子機器中に記憶する第２の記憶ステップと、前記複数のリモコン装置の内、所望のリモコン装置の呼出要求を前記電子機器において受け付ける受付ステップと、前記受付ステップが実行されたとき、この呼出要求を受けたリモコン装置の前記識別子とこの識別子に対応づけられた前記特性情報を前記電子機器から外部へ送信する送信ステップと、を実行することを特徴とする電子機器の制御方法を提供する。
【００１２】
上記した構成によれば、予め呼出対象を指定する識別子及び特性情報を記憶し、記憶された識別子に該当するリモコン装置を記憶された特性情報に基づいて呼び出すため、容易に特定のリモコン装置の所在を利用者に認識させることができる。
【発明の効果】
【００１３】
本発明によれば、リモコン装置の所在を利用者に認識させることができるとともに、従来に比べて容易に特定のリモコン装置の呼出操作を完了することができる。
【図面の簡単な説明】
【００１４】
【図１】本発明の実施の形態に係る映像表示装置の構成例を示す概略図である。
【図２】映像表示装置の制御系の構成例を示すブロック図である
【図３】リモコン装置の外観の構成例を示す概略図である。
【図４】リモコン装置の制御系の構成例を示すブロック図である。
【図５】呼出情報の構成例を示す概略図である。
【図６】表示部に表示される表示例を示す概略図である。
【図７】映像表示装置の動作例を示すフローチャートである。
【図８】リモコン装置の動作例を示すフローチャートである。
【発明を実施するための形態】
【００１５】
（映像表示装置の構成）
図１は、本発明の実施の形態に係る映像表示装置の構成例を示す概略図である。
【００１６】
映像表示装置２は、アンテナ（図２、２０Ａ）を介して外部よりデジタル放送波等を受
信して映像を表示したり、図示しないＨＤＤ（Ｈａｒｄ  Ｄｉｓｃ  Ｄｒｉｖｅ）レコーダーやＤＶＤ（Ｄｉｇｉｔａｌ  Ｖｅｒｓａｔｉｌｅ  Ｄｉｓｃ）プレイヤー等の外部映像再生装置から映像信号を受信して映像を表示するテレビ受像器等であって、前面に映像を表示するＬＣＤ（Ｌｉｑｕｉｄ  Ｃｒｙｓｔａｌ  Ｄｉｓｐｌａｙ）パネル等から構成される表示部２３Ａと、音声を出力するスピーカ２４Ａ、２４Ｂと、複数の操作スイッチを有する複数のリモコン装置１Ａ〜１Ｃを呼び出すための呼出スイッチ２７ａと、リモコン装置１Ａ〜１Ｃに対してＲＦ（Ｒａｄｉｏ  Ｆｒｅｑｕｅｎｃｙ）信号を用いた呼出要
求信号を送信したり、リモコン装置１Ａ〜１Ｃから送信されるＲＦ信号を用いた操作信号を受信する送受信部２８とを有する。
【００１７】
また、映像表示装置２は、背面に図示しないアンテナ端子、外部入力端子及び複数のスイッチからなる操作部等を有し、本体２Ａ内部には映像信号や音声信号を処理したり各部を制御するためのＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）及びＨＤＤ等からなる電子部品を有する。
【００１８】
リモコン装置１Ａ〜１Ｃは、それぞれスピーカ１２を有し、映像表示装置２から呼出要求を受けるとスピーカ１２からメロディ等の警報を発する。また、リモコン装置１Ａ〜１Ｃは、映像表示装置２に対してペアリング等を実行して事前に登録されており、リモコン装置１Ａ〜１Ｃと映像表示装置２との間で互いに互いを特定する識別子を認識している。
【００１９】
なお、ペアリングは表示部２３Ａに表示されるリモコン装置登録画面に従って利用者によって行われる。リモコン装置登録画面は、映像表示装置２に対してリモコン装置が登録されていないとき、表示部２３Ａに対して強制的に登録画面を表示される。登録されていたリモコン装置が削除されて、リモコン装置が登録されていない状態になったときも同様である。また、映像表示装置２の図示しない操作部や呼出スイッチ２７ａを操作することでリモコン装置登録画面を表示させてもよい。
【００２０】
なお、同図において３台のリモコン装置を示しているが、単数又は複数台でもよい。また、リモコン装置１Ａ〜１Ｃは、映像表示装置２専用のリモコン装置に限らず、携帯電話やＰＤＡ（Ｐｅｒｓｏｎａｌ  Ｄｉｇｉｔａｌ  Ａｓｓｉｓｔａｎｔ）等の電子機器にリモコン機能を備えたものであってもよい。
【００２１】
図２は、映像表示装置２の構成例を示すブロック図である。
【００２２】
映像表示装置２は、チューナ２０と、信号処理部２１と、映像処理部２２と、表示処理部２３と、音声処理部２４と、制御部２５と、記憶部２６と、操作部２７と、送受信部２８とを有し、それぞれバス２９で接続される。
【００２３】
チューナ２０は、デジタル放送局から送信される放送信号を受信するアンテナ２０Ａを備えており、受信した放送信号から所望のチャンネルの信号を選択して信号処理部２１に送信する。
【００２４】
信号処理部２１は、映像処理部２２と音声処理部２４とに接続されており、チューナ２０から受信した放送信号を音声信号と映像信号に分離し、映像信号を映像処理部２２に出力し、音声信号を音声処理部２４に出力する。
【００２５】
映像処理部２２は、表示処理部２３を介して表示部２３Ａに接続されている。
【００２６】
表示処理部２３は、入力された映像信号を画質調整し、画質調整した映像信号を表示部２３Ａに出力する。また、表示処理部２３は、表示部２３Ａの表示調整を行う図示しないバックライト処理部及び色温度処理部等を有する。表示部２３Ａは、インバータ等により制御されて輝度を可変とするバックライトと、バックライトに照射されて映像を表示するＬＣＤパネルとを有する。バックライト処理部は、バックライトの輝度値を変化させることで明るさを調整し、色温度処理部は、ＬＣＤパネルのγ設定値を変化させることで色温度を調整する。
【００２７】
音声処理部２４はスピーカ２４Ａ及び２４Ｂに接続されている。また、音声処理部２４は、入力された音声信号の音質調整を行う。
【００２８】
また、映像表示装置２は、図示しない外部入力端子に接続された映像再生装置から送信される映像信号及び音声信号を受信する映像アナログ／デジタル変換器（Ａ／Ｄ）及び音声Ａ／Ｄを有し、映像Ａ／Ｄ及び音声Ａ／Ｄに入力された映像信号及び音声信号はアナログ信号からデジタル信号へと変換され、それらの出力信号はそれぞれ映像処理部２２及び音声処理部２４に出力される。
【００２９】
制御部２５は、ＣＰＵを有し、図２において矢印のない実線で示されたバス２９等の制御線を介して映像表示装置２の各部を制御する。
【００３０】
記憶部２６は、リモコン装置１Ａ〜１Ｃを呼び出すときの設定情報等が記載された呼出設定情報２６０、リモコン装置１Ａ〜１Ｃを映像表示装置２に対して登録（ペアリング）するときに取得したリモコン装置１Ａ〜１Ｃそれぞれの呼出音やバイブレーションパターン等の特性を示す特性情報２６１や、映像表示装置２によって録画された番組の映像情報、図７に示すような制御部２５上で動作するプログラム等を格納する。
【００３１】
操作部２７は、図１に示す呼出スイッチ２７ａを含む複数のスイッチを備え、それらのスイッチが利用者によって操作されることで、映像表示装置２の動作を制御するための信号を制御部２５に出力する。
【００３２】
送受信部２８は、リモコン装置１Ａ〜１Ｃに対してＲＦ信号を送信するとともに、リモコン装置１Ａ〜１Ｃから操作信号等のＲＦ信号を受信し、それらの信号を制御部２５に出力する。
【００３３】
図３は、リモコン装置１Ａの外観の構成例を示す概略図である。なお、リモコン装置１Ｂ及び１Ｃは、リモコン装置１Ａと同様の構成を有するため、リモコン装置１Ａを代表して説明する。
【００３４】
リモコン装置１Ａは、上部筐体１ａ及び下部筐体１ｂとから構成され、映像表示装置２の各機能を操作するための複数のスイッチを有しており、映像表示装置２の電源投入と遮断とを切り替える電源スイッチ１４ａと、表示する映像情報のソースを切り替える入力切替スイッチ、ゲーム、地デジ、ＢＳ又はＣＳを選択するスイッチを備えた入力切替スイッチ群１４ｂと、チャンネルの選択や文字の入力等を行うチャンネル文字スイッチ群１４ｃ、チャンネルの切り替えを行うチャンネル切替スイッチ１４ｄと、画面の表示形式を選択する画面表示スイッチ、ミュートスイッチ及びクイックスイッチ等を備えるスイッチ群１
４ｅと、音量を調整する音量調整スイッチ１４ｆと、外部機器と映像表示装置２をリンクさせるリンクスイッチ、過去番組表を表示させるタイムスイッチ及び番組表を表示させる番組表スイッチ等を備えるスイッチ群１４ｇと、タッチパッドの機能と押下スイッチの機能とを備えたタッチパッドスイッチ１４ｈと、戻るスイッチ、ミニ番組表スイッチ、終了スイッチ、ブロードバンドスイッチ、ｄデータスイッチ、ニューススイッチ及びカラースイッチ等を備えたスイッチ群１４ｉと、呼出要求に応じたメロディ等の警報を出力するスピーカ１２とを有する。
【００３５】
図４は、リモコン装置１Ａの構成例を示すブロック図である。
【００３６】
リモコン装置１Ａは、受送信部１０と、制御部１１と、スピーカ１２と、記憶部１３と、操作部１４と、振動モータ１５とを有し、それぞれバス１６で接続される。
【００３７】
受送信部１０は、映像表示装置２から呼出要求等のＲＦ信号を受信し、それらの信号を制御部１１に出力するとともに、制御部１１の制御の下、映像表示装置２に対して操作信号等のＲＦ信号を送信する。
【００３８】
制御部１１は、ＣＰＵを有し、実線で示されたバス１６等の制御線を介して各部を制御する。
【００３９】
スピーカ１２は、制御部１１の制御に基づいてメロディ等の警報を出力する。
【００４０】
記憶部１３は、制御部１１において再生されることでスピーカ１２から警報として出力される呼出音パターンや振動モータ１５において発生する振動のバイブレーションパターン等のリモコン装置１Ａにおいて実行可能な特性を示す特性情報１３０、リモコン装置１Ａを識別するための識別情報であるリモコンＩＤ１３１や、操作部１４の出力する信号と操作信号とを対応付けた情報、図８に示すような制御部１１上で動作するプログラム等を格納する。
【００４１】
操作部１４は、図３に示す複数のスイッチを備え、利用者によって操作されることでそれぞれ制御部１１に対して信号を出力する。
【００４２】
振動モータ１５は、呼出要求等に応じて制御部１１の制御によって動作し、リモコン装置１Ａを振動させる。
【００４３】
図５は、呼出設定情報２６０の構成例を示す概略図である。
【００４４】
呼出設定情報２６０は、リモコン装置の識別子を示すリモコンＩＤ欄２６０ａと、呼出スイッチ２７ａが押下されたとき呼び出すか否かを示す呼出登録欄２６０ｂと、メロディやバイブレーション等の呼出方法を示す呼出方法欄２６０ｃと、メロディの音量を示す音量欄２６０ｄと、メロディの種類を示すメロディ欄２６０ｅとを有する。なお、呼出方法欄２６０ｃ、音量欄２６０ｄ及びメロディ欄２６０ｅに記載の情報は、各リモコン装置１Ａ〜１Ｃを映像表示装置２に登録した際に各リモコン装置１Ａ〜１Ｃから受信した特性情報２６１に基づいて、後述する呼出設定画面２３０において選択された情報である。
【００４５】
図６は、表示部２３Ａに表示される表示例を示す概略図である。
【００４６】
呼出設定画面２３０は、リモコン装置１Ａ〜１Ｃの呼出方法等を指定する呼出設定情報２６０を設定するときに表示される画面であって、表示部２３Ａに表示される。また、呼出設定画面２３０は、呼出設定情報２６０の設定を所望するリモコン装置を選択するためのリモコン選択タブ２３０ａと、チェックされることで選択しているリモコン装置において呼び出しを実行する呼出登録チェックボックス２３０ｂと、チェックされることでメロディを用いて呼び出しを実行するメロディ呼出チェックボックス２３０ｃと、選択されることで、メロディパターンと呼出音量とを決定するメロディパターンメニュー２３０ｄ及
び音量選択メニュー２３０ｅと、チェックされることでバイブレーション機能を用いて呼び出しを実行するバイブ呼出チェックボックス２３０ｆと、押下することで呼出設定画面２３０において設定した設定内容を確定する決定ボタン２３０ｇとを有する。
【００４７】
なお、メロディ呼出チェックボックス２３０ｃ、メロディパターンメニュー２３０ｄ、音量選択メニュー２３０ｅ、バイブ呼出チェックボックス２３０ｆは、各リモコン装置１Ａ〜１Ｃから受信した特性情報２６１に基づいてリモコン装置ごとに表示と非表示が切り替えられる。また、メロディパターンメニュー２３０ｄ、音量選択メニュー２３０ｅは、各リモコン装置１Ａ〜１Ｃの特性情報２６１に基づいてリモコン装置ごとに表示メニューが切り替わる。
【００４８】
（映像表示装置の動作）
以下に、本発明の一実施の形態における映像表示装置の動作例を各図を参照しつつ説明する。
【００４９】
まず、利用者は、例えば、映像表示装置２の電源を投入するためにリモコン装置１Ａの電源スイッチ１４ａを押下する。リモコン装置１Ａの制御部１１は、電源スイッチ１４ａが押下されると映像表示装置２の電源を投入するための操作信号を生成し、次に、受送信部１０が操作信号を映像表示装置２にＲＦ信号によって送信する。
【００５０】
映像表示装置２の送受信部２８は、ＲＦ信号を受信すると制御部２５に操作信号を出力し、制御部２５は、受信した操作信号に基づいて図示しない電源部に映像表示装置２の電源を投入するよう要求する。以上の動作は、操作部１４の他のスイッチを押下したときにも準用できる。
【００５１】
また、利用者は、リモコン装置１Ａ〜１Ｃの呼出設定を所望するとき、例えば、リモコン装置１Ａを操作し、図６に示す呼出設定画面２３０を映像表示装置２の表示部２３Ａに表示するよう要求する。映像表示装置２の制御部２５は、要求に応じて呼出設定画面２３０を表示部２３Ａに表示し、利用者は、表示された内容に応じてリモコン装置１Ａを操作する。
【００５２】
利用者によって決定ボタン２３０ｇを押下するよう操作されて、呼出設定画面２３０における設定が終了すると、制御部２５は、呼出設定画面２３０において設定された内容を記憶部２６の呼出設定情報２６０に記憶する。なお、呼出設定画面２３０の操作は、映像示装置２の操作部２７を用いて行っても良い。
【００５３】
図７は、映像表示装置２の動作例を示すフローチャートである。
【００５４】
まず、利用者によって操作部２７の呼出スイッチ２７ａが操作され（Ｓ１；Ｙｅｓ）、その操作が呼び出すリモコン装置、例えば、リモコン装置１Ａを指定する操作であるとき（Ｓ２；Ｙｅｓ）、制御部２５は、呼出設定情報２６０のうちリモコン装置１Ａのもの、つまり図５に示すリモコンＩＤ「０００１」に該当する情報を参照する（Ｓ３）。次に、制御部２５は、呼出設定情報２６０のリモコンＩＤ「０００１」の情報に基づいて送受信部２８を介して呼出信号を送信し、呼び出しを実行する（Ｓ４）。なお、ステップＳ２において、リモコン装置は、呼出スイッチ２７ａの押下回数等によって指定され、指定されるリモコン装置の識別情報等は表示部２３Ａに表示される。
【００５５】
また、ステップＳ２においてリモコンの指定がないとき（Ｓ２；Ｎｏ）、制御部２５は、呼出設定情報２６０のすべてのリモコン装置の情報を参照し（Ｓ５）、呼出設定情報２６０のそれぞれのリモコン装置の情報に基づいて送受信部２８を介して呼出信号を送信し、呼び出しを実行する（Ｓ６）。つまり、リモコンＩＤ「０００１」、「０００３」、「０００４」及び「０００５」の呼び出しを実行する。なお、ステップＳ２において、すべてのリモコン装置の呼び出しは、呼出スイッチ２７ａを数秒間長押し操作する等の操作を行って指定する。
【００５６】
図８は、リモコン装置１Ａの動作例を示すフローチャートである。なお、リモコン装置１Ａ〜１Ｃの動作は共通であるため、代表してリモコン装置１Ａについて説明する。
【００５７】
まず、リモコン装置１Ａの受送信部１０が呼出信号を受信すると（Ｓ１１）、制御部１１は、その呼出信号にリモコンＩＤ１３１に一致するものが含まれるか否かを確認し、含まれるとき（Ｓ１２；Ｙｅｓ）、呼出設定情報２６０のリモコンＩＤ「０００１」に設定された呼出方法、音量、メロディ等の条件に基づいて呼出動作を実行する（Ｓ１３）。つまり、記憶部１３の特性情報１３０のメロディパターン１のメロディを用いて音量５でスピーカ１２から再生するとともに、振動モータ１５を動作させる。
【００５８】
次に、リモコン装置１Ａが利用者に発見されて、リモコン装置１Ａに対してなんらかの操作がされたとき（Ｓ１４；Ｙｅｓ）、又は操作のないまま（Ｓ１４；Ｎｏ）、一定時間が経過したとき（Ｓ１６；Ｙｅｓ）、制御部１１は、呼出動作を終了する（Ｓ１５）。なお、映像表示装置２の操作部２７が操作されたとき、呼出動作を終了してもよい。
【００５９】
（実施の形態の効果）
上記した実施の形態によると、呼出設定情報２６０に予め呼び出したいリモコン装置を呼出登録することで、所望のリモコン装置を呼出スイッチ２７ａの押下操作によって指定することができるため、映像表示装置２のみで複数のリモコン装置の呼出操作を容易に完了することができる。
【００６０】
また、リモコン装置ごとに異なる呼出方法、音量、メロディ等を映像表示装置２において呼出設定画面２３０を用いて設定可能としたため、各リモコン装置において設定する場合に比べて容易に操作が実行できる。また、リモコン装置ごとに異なる設定とすることで、同時に複数のリモコン装置を呼び出したときに、利用者は、容易に複数のリモコン装置の所在を判別することができる。
【００６１】
［他の実施の形態］
なお、本発明は、上記実施の形態に限定されず、本発明の趣旨を逸脱しない範囲で種々な変形が可能である。例えば、リモコン装置１Ａ〜１Ｃと映像表示装置２との通信はＲＦ信号を用いるものとしたが、ＲＦ信号としてＩＥＥＥ８０２．１５．４や低エネルギーＢｌｕｅｔｏｏｔｈ等の無指向性規格の通信方法を用いることができ、無指向性であれば他の規格を用いてもよい。また、無指向性の通信方法が好ましいが、赤外線通信等の指向性のある通信方法でもよい。
【００６２】
また、映像表示装置２にリモコン装置が１台のみ登録されているときは、呼出設定画面２３０で設定される項目を利用者が決定することなく予め定めた設定としてもよい。例えば、呼出登録、メロディ呼出は常にオンとなるよう予め定める。
【００６３】
また、リモコン装置１Ａ〜１Ｃに対して照度センサ等をさらに設けて、照度に応じて呼出音量を変化させてもよい。これにより、例えば、リモコン装置１Ａ〜１Ｃが物陰に放置されて警告音が利用者に対して届きにくい状況にある場合等にも、自動的に音量を最大値とすることで利用者に所在を知らせることができる。
【００６４】
また、特性情報１３０は、映像表示装置２からＲＦ信号を介してダウンロードできる構成としてもよい。また、振動モータ１５の振動パターンについても同様である。
【００６５】
また、映像表示装置２に対するリモコン装置の登録最大数が決まっており、その最大数を超えて登録を実行するとき、映像表示装置２は、最も古く登録されたリモコン装置の登録を削除する。また、登録済みのリモコン装置の登録が要求されたときは、登録済みである旨を表示部２３Ａに表示し、それでも登録が要求されるときは、登録済みである情報を上書きする。
【符号の説明】
【００６６】
１Ａ-１Ｃ…リモコン装置、１ａ…上部筐体、１ｂ…下部筐体、２…映像表示装置、２Ａ…本体、１０…受送信部、１１…制御部、１２…スピーカ、１３…記憶部、１４…操作部、１４ａ…電源スイッチ、１４ｂ…入力切替スイッチ群、１４ｃ…チャンネル文字スイッチ群、１４ｄ…チャンネル切替スイッチ、１４ｅ…スイッチ群、１４ｆ…音量調整スイッチ、１４ｇ…スイッチ群、１４ｈ…タッチパッドスイッチ、１４ｉ…スイッチ群、１５…振動モータ、１６…バス、２０…チューナ、２０Ａ…アンテナ、２１…信号処理部、２２…映像処理部、２３…表示処理部、２３Ａ…表示部、２４…音声処理部、２４Ａ…スピーカ、２５…制御部、２６…記憶部、２７…操作部、２７ａ…呼出スイッチ、２８…送受信部、２９…バス、１３０…特性情報、２３０…呼出設定画面、２３０ａ…リモコン選択タブ、２３０ｂ…呼出登録チェックボックス、２３０ｃ…メロディ呼出チェックボックス、２３０ｄ…メロディパターンメニュー、２３０ｅ…音量選択メニュー、２３０ｆ…バイブ呼出チェックボックス、２３０ｇ…決定ボタン、２６０…呼出設定情報、２６０ａ…リモコンＩＤ欄、２６０ｂ…呼出登録欄、２６０ｃ…呼出方法欄、２６０ｄ…音量欄、２６０ｅ…メロディ欄
【図１】
2011072017.tif 000003
【図２】
2011072017.tif 000004
【図３】
2011072017.tif 000005
【図４】
2011072017.tif 000006
【図５】
2011072017.tif 000007
【図６】
2011072017.tif 000008
【図７】
2011072017.tif 000009
【図８】
2011072017.tif 000010